(57)【要約】      （修正有）【課題】湯を排出する際に開口縁と周縁部との接触部分にまで湯が浸入することを阻止して熱さの感じを軽減させるインスタント食品用容器を提供する。【解決手段】容器本体Ａと、一部に湯切り口１４ａを有する蓋体Ｂとを有するインスタント食品用容器であって、容器本体はＡ、収容部１と、開口縁２と、本体接続部３と、を有し、蓋体Ｂは、天板１０と、周縁部１１と、蓋体接続部１２とを有する。さらに、蓋体接続部１２の断面は本体接続部３の断面と同じ形状を有し、容器本体Ａに蓋体Ｂを装着したとき、蓋体接続部１２の裏面が本体接続部３の収容部側の面に接触することで、容器本体Ａに注がれた湯を排出する際に、湯が本体接続部３と蓋体接続部１２の接触部分を越えて開口縁３と周縁部１１への浸入を阻止する。【選択図】図２
0003174169.tif 000002
【実用新案登録請求の範囲】
【請求項１】
容器本体と、該容器本体の上部に被蓋され一部に湯切り口を有する蓋体と、を有するインスタント食品用容器であって、
前記容器本体は、インスタント食品を収容する収容部と、前記収容部の上部に於ける全外周にわたって略水平に形成された開口縁と、前記収容部と前記開口縁の少なくとも一部の境界に設けられた本体接続部と、を有し、
前記蓋体は、天板と、前記天板の外周に該天板よりも突出し且つ前記開口縁に裏面が接触する周縁部と、前記天板と前記周縁部との少なくとも一部の境界に於いて裏面に設けられた蓋体接続部と、を有し、
前記蓋体接続部の断面は、前記本体接続部の断面と同じ形状を有しており、前記容器本体に前記蓋体を装着したとき、前記蓋体接続部の裏面が前記本体接続部の収容部側の面に接触することで、前記容器本体に注がれた湯を排出する際に、湯が前記本体接続部と蓋体接続部の接触部分を越えて前記容器本体の開口縁と前記蓋体の周縁部への浸入を阻止することを特徴とするインスタント食品用容器。
【請求項２】
前記容器本体の本体接続部は断面が曲面として形成されており、且つ前記蓋体の蓋体接続部は前記本体接続部と接触するために断面が曲面として形成されていることを特徴とする請求項１に記載したインスタント食品用容器。
【請求項３】
前記容器本体は合成樹脂発泡体からなり、且つ前記開口縁は、前記蓋体に形成された周縁部の裏面と接触する接触部と、該接触部と連続して外周部に形成された硬化部と、によって構成されていることを特徴とする請求項１又は２に記載したインスタント食品用容器。
【請求項４】
前記インスタント食品容器は、平面形状が長方形又は正方形であり、前記湯切り口は何れかの角部に形成されていることを特徴とする請求項１に記載したインスタント食品用容器。
【請求項５】
前記容器本体の本体接続部と前記蓋体の蓋体接続部は、前記湯切り口を囲むように連続することを特徴とする請求項１に記載したインスタント食品用容器。
【考案の詳細な説明】
【技術分野】
【０００１】
本考案は、容器本体に蓋体を装着した状態で湯を排出する際に、湯が容器本体の開口縁と蓋体の周縁部との接触部分にまで浸入するのを阻止し得るようにしたインスタント食品用容器に関するものである。
【背景技術】
【０００２】
例えば、麺を収容した容器本体に湯を注いだ後、注いだ湯を排出して食する焼きそばのようなインスタント食品が提供されている。このようなインスタント食品では、容器本体に注がれた湯によって蓋体が加熱されてしまい、湯を排出する際に、人が容器本体とこの容器本体に装着された蓋体を指で保持したとき熱さを感じてしまうという問題がある。
【０００３】
本件出願人は、上記問題を解決するために、蓋体の天板と周縁との間にブリッジを形成しておき、注がれた湯によってブリッジが加熱されるのを軽減させたインスタント食品用の蓋体を開発している（例えば特許文献１参照）。
【０００４】
特許文献１に開示されたインスタント食品用の蓋体では、天板と、該天板の外周に立ち上がり容器本体の開口縁に外嵌する立設縁と、容器本体の開口縁に裏面が接する天板の周縁部と、立設縁と平行に形成され天板の表面側で溝となり開口縁に内嵌するグリップと、天板の中央部と周縁部との間に形成されるブリッジを有している。このため、ブリッジは容器本体に注がれた湯から離隔することとなり、湯によって直接加熱されることがない。従って、湯を排出する際に該ブリッジを指で保持したときに感じる熱さを軽減することができる。
【先行技術文献】
【特許文献】
【０００５】
【特許文献１】特開２００５−２８０７３２号公報
【考案の概要】
【考案が解決しようとする課題】
【０００６】
しかし、特許文献１に開示されたインスタント食品用の蓋体であっても未だ完全ではなく、容器本体に注がれた湯を排出する際に容器本体と蓋体を指で保持して傾斜させたとき、湯がブリッジに直接接触すると共に、容器本体の開口縁と蓋体の周縁部との接触部分に浸入して熱さを感じてしまう虞がある。
【０００７】
本考案の目的は、湯を排出する際に容器本体と蓋体を保持して傾斜させた場合であっても、開口縁と周縁部との接触部分にまで湯が浸入することを阻止して熱さの感じを軽減させることができるインスタント食品用容器を提供することにある。
【課題を解決するための手段】
【０００８】
前記目的を達成するための本考案に係るインスタント食品用容器は、容器本体と、該容器本体の上部に被蓋され一部に湯切り口を有する蓋体と、を有するインスタント食品用容器であって、前記容器本体は、インスタント食品を収容する収容部と、前記収容部の上部に於ける全外周にわたって略水平に形成された開口縁と、前記収容部と前記開口縁の少なくとも一部の境界に設けられた本体接続部と、を有し、前記蓋体は、天板と、前記天板の外周に該天板よりも突出し且つ前記開口縁に裏面が接触する周縁部と、前記天板と前記周縁部との少なくとも一部の境界に於いて裏面に設けられた蓋体接続部と、を有し、前記蓋体接続部の断面は、前記本体接続部の断面と同じ形状を有しており、前記容器本体に前記蓋体を装着したとき、前記蓋体接続部の裏面が前記本体接続部の収容部側の面に接触することで、前記容器本体に注がれた湯を排出する際に、湯が前記本体接続部と蓋体接続部の接触部分を越えて前記容器本体の開口縁と前記蓋体の周縁部への浸入を阻止することを特徴とする。
【０００９】
上記インスタント食品用容器に於いて、前記容器本体の本体接続部は断面が曲面として形成されており、且つ前記蓋体の蓋体接続部は前記本体接続部と接触するために断面が曲面として形成されていることが好ましい。
【００１０】
また、上記何れかのインスタント食品用容器に於いて、前記容器本体は合成樹脂発泡体からなり、且つ前記開口縁は、前記蓋体に形成された周縁部の裏面と接触する接触部と、該接触部と連続して外周部に形成された硬化部と、によって構成されていることが好ましい。
【００１１】
また、上記インスタント食品用容器に於いて、前記インスタント食品容器は、平面形状が長方形又は正方形であり、前記湯切り口は何れかの角部に形成されていることが好ましい。
【００１２】
更に、インスタント食品用容器に於いて、前記容器本体の本体接続部と前記蓋体の蓋体接続部は、前記湯切り口を囲むように連続することが好ましい。
【考案の効果】
【００１３】
本考案に係るインスタント食品用容器では、容器本体に蓋体を装着したとき、蓋体接続部の裏面が本体接続部の収容部側の面に接触することで、容器本体に注がれた湯を排出する際に、湯が本体接続部と蓋体接続部の接触部分を越えて容器本体の開口縁と蓋体の周縁部への浸入を阻止する。このため、湯を排出する際に、インスタント食品用容器を傾けたとしても湯が開口縁と周縁部との接触部分にまで浸入することがなく、容器本体と蓋体を保持した指が感じる熱さを軽減することができる。
【００１４】
容器本体の本体接続部と蓋体の蓋体接続部が、断面が曲面として形成されているため、容器本体に蓋体を装着するのに伴って確実に蓋体接続部を本体接続部に接触させることが可能であり、高い信頼性を持って湯の流れを阻止することができる。
【００１５】
また、容器本体が合成樹脂発泡体によって成型され、開口縁が、蓋体に形成された周縁部の裏面と接触する接触部と、該接触部と連続して外周部に形成された硬化部と、によって構成されている。このため、硬化部は接触部と比較して高い剛性を有することから変形に対する抵抗が大きく、容器本体に注いだ湯の重量の作用によって開口縁が変形しようとしたとき、この変形に抵抗して変形量を軽減することができる。
【００１６】
また、インスタント食品用容器は、平面形状が長方形又は正方形であり、湯切り口は何れかの角部に形成されているため、注がれた湯を排出する際には容器本体が漏斗の機能を発揮して円滑な排出を実現することができる。
【００１７】
また、容器本体の本体接続部と蓋体の蓋体接続部が湯切り口を囲むように連続しているため、湯を排出する際には湯切り口を中心に保持することが可能となり、安定した状態で湯切りを行うことができる。
【図面の簡単な説明】
【００１８】
【図１】本実施例に係るインスタント食品用容器の斜視図である。
【図２】容器本体と蓋体との関係を説明する展開図である。
【図３】容器本体に蓋体を装着したときの要部を説明する断面図である。
【図４】インスタント食品用容器から湯を排出する際の状態を説明する図である。
【考案を実施するための形態】
【００１９】
以下、図１〜図３により本考案に係るインスタント食品用容器の構成について説明する。本考案に係るインスタント食品用容器は、容器本体に蓋体を装着したとき、蓋体に設けた蓋体接続部の裏面が容器本体に設けた本体接続部の収容部側の面に接触することで、湯の開口縁と周縁部との接触部位への浸入を阻止し得るように構成したものである。このため、本考案に係るインスタント食品用容器では、湯切りの際に該インスタント食品用容器を傾けた場合でも、保持した人に熱さを感じさせることが少ない。
【００２０】
本考案に於いて、容器本体の収容部と開口縁に於ける一部の境界に設けた本体接続部の断面形状と、蓋体の天板と周縁部との一部の境界に設けた蓋体接続部の断面形状とが同じ形状を有する。ここで、両接続部の断面形状が同じとは、寸法が全く同一であることを意味するのではなく、本体接続部の収容部側の面（内側面）と蓋体接続部の裏面の形状及び寸法が略同じことを意味する。
【００２１】
このため、容器本体に蓋体を装着したとき、蓋体接続部の裏面は本体接続部の内側面に対して面接触することとなり、この接触部分に対する湯の浸入を確実に阻止することが可能となる。従って、容器本体の開口縁と蓋体の周縁部との接触部分まで湯が浸入することがなく、指に対する熱さの感じを軽減することが可能となる。
【００２２】
容器本体に設けた本体接続部の断面形状、及び蓋体に設けた蓋体接続部の断面形状は特に限定するものではなく、両接続部が互いに面接触して湯の浸入を阻止する機能を発揮し得る形状であれば良い。このような機能を発揮し得る断面形状としては、例えば略水平状に形成されている開口縁に対し鈍角となるような勾配を持って収容部が接続するような形状（略鈍角状断面）、或いは円弧を含む曲面状であって良い。
【００２３】
容器本体に設けた本体接続部は、収容部と開口縁の少なくとも一部の境界に存在すれば良い。しかし、容器本体の場合、蓋体がどのように装着されても確実に蓋体接続部が接触し得るように、収容部と開口縁との全境界にわたって設けられることが好ましい。
【００２４】
蓋体に設けた蓋体接続部も容器本体と同様に、天板と周縁部との少なくとも一部の境界に存在する。特に、蓋体には湯切りのための湯切り口が設けられるため、この湯切り口に対応する部位に蓋体接続部を設けることは不可能である。従って、蓋体、接続部は天板と周縁部との全境界にわたって連続して設けられることはない。
【００２５】
蓋体を容器本体に装着したとき、蓋体接続部の裏面が本体接続部の内側面に接触する。両接続部の接触状態は、湯が浸入することを阻止し得るような接触であれば良く、接触の状態を限定するものではない。しかし、蓋体接続部が本体接続部に対し圧接状態で接触することが好ましい。
【００２６】
以下、図により本実施例に係るインスタント食品用容器の構成について説明する。図１〜３に示すインスタント食品用容器は、容器本体Ａと、この容器本体Ａに装着される蓋体Ｂと、を有するインスタント焼きそば用の容器として構成されている。
【００２７】
容器本体Ａは、合成樹脂発泡体によって成型されており、麺（焼きそば）やソース、薬味等のインスタント食品を収容すると共に注がれた湯の容器となる収容部１と、収容部１の上部に全外周にわたって略水平に形成された開口縁２と、収容部１と開口縁２との境界に設けた本体接続部３と、を有している。
【００２８】
収容部１は、収容すべき麺の量等の条件に対応した面積と深さを有しており、平面形状を限定するものではない。従って、収容部１の平面形状としては円形や楕円形であって良い。しかし、湯を排出する際に、湯の流れを制限するためには長方形或いは正方形であることが好ましい。本実施例では、収容部１の平面形状は長方形に形成されている。
【００２９】
本実施例に於いて、収容部１の底部１ａの全周囲から壁１ｂが起立しており、該壁１ｂの上端部分に曲面状の本体接続部３が形成され、更に本体接続部３から略水平に開口縁２が形成されている。
【００３０】
収容部１の壁１ｂの上端部分に於ける全外周に形成された開口縁２には、本体接続部３と連続して接触部２ａが形成されており、接触部２ａと連続して硬化部２ｂが形成されている。硬化部２ｂは必ずしも開口縁２の全周に形成する必要はなく、対向する二つの辺に形成されていれば良い。しかし、本実施例では容器本体Ａの外周に形成された全ての開口縁２に、接触部２ａと連続した硬化部２ｂを形成している。
【００３１】
容器本体Ａは合成樹脂発泡体によって形成されているため、収容部１に注がれた湯によって加熱されることで軟化し、湯の重みで或いは外から作用する力によって変形が生じる虞がある。このため、開口縁２に形成された硬化部２ｂが該開口縁２の水平方向に対する剛性を向上させて変形に対する抵抗となる機能を発揮し、壁１ｂの変形に対して抵抗して変形量を軽減させることが可能である。
【００３２】
本体接続部３は、収容部１と開口縁２との少なくとも一部の境界に設けられている。即ち、本体接続部３は収容部１と開口縁２とのすべての境界に設けられる必要はない。本実施例では、本体接続部３は収容部１と開口縁２とのすべての境界、即ち、収容部１の全周にわたって設けられている。
【００３３】
また、前述したように、本体接続部３の断面形状は限定するものではない。しかし、本実施例では、図３に示すように、断面が円弧を含む曲面状に形成されている。
【００３４】
蓋体Ｂは、天板１０と、天板１０の全周にわたって形成された周縁部１１と、天板１０と周縁部１１との少なくとも一部の境界に設けられた蓋体接続部１２と、周縁部１１の外周部分に形成された垂下縁１３と、角部に設けられた湯切り口１４ａを有する湯切り部１４と、を有している。
【００３５】
蓋体Ｂは、容器本体Ａと比較して薄い材料である合成樹脂フィルムを熱成型して形成されている。本実施例では、蓋体Ａの剛性を向上させるために、天板１０の周縁部１１の近傍には、頂部が周縁部１１よりも低い複数の凸部１０ａが形成されている。しかし、凸部１０ａは必ずしも必要ではなく、蓋体Ｂが充分に高い剛性を有する場合には不要である。
【００３６】
周縁部１１は容器本体Ａの開口縁２と対向して形成されており、蓋体Ｂが容器本体Ａに装着されたとき、裏面が開口縁２の接触部２ａと接触して収容部１の水密性を確保し得るように形成されている。また、垂下縁１３は周縁部１１の全外周部分に設けられており、容器本体Ａの開口縁２の硬化部２ｂの先端部分を覆うことが可能なように構成されている。
【００３７】
本実施例に於いて、蓋体接続部１２は、裏面が容器本体Ａの本体接続部３の内側面の曲面と同じ曲面で形成されており、湯切り部１４を囲んで連続して形成されている。また、蓋体Ｂに形成された蓋体接続部１２の対向する二つの辺間の寸法は、本体容器Ａに形成された本体接続部３の対向する二つの辺間の寸法と略等しいか、僅かに大きい値を有している。
【００３８】
このため、蓋体Ｂを容器本体Ａに装着したとき、蓋体Ｂの蓋体接続部１２の裏面は、容器本体Ａの本体接続部３の内側面に強固に面接触している。従って、収容部１に湯を注いで傾けたとき、湯が両接続部の接触部位に到達しても、この湯が容器本体Ａの開口縁２と蓋体Ｂの周縁部１１との接触部分まで浸入することはない。
【００３９】
特に、天板１０に形成された凸部１０ａに湯が浸入した場合でも、両接続部３、１２が互いに面接触しているため、湯の両接続部３、１２への浸入が阻止され、湯は凸部１０ａで留まる。従って、容器本体Ａに注がれた湯を排出する際に、該湯が周辺に侵入することがない。
【００４０】
焼きそばを調理する際に、収容部１に湯を注いて容器本体Ａに蓋体Ｂを装着し、所定時間経過した後、図４に示すように、容器本体Ａと蓋体Ｂを指Ｃによって保持して湯切り部１４が下になるように傾けて、湯切り口１４ａから湯を排出する。このとき、湯は本体接続部３と蓋体接続部１２とが接触する部位まで到達し、一部は天板１０の凸部１０ａに浸入する。
【００４１】
本体接続部３と蓋体接続部１２が互いに面接触しているため、湯の両接触部３、１２の接触部位から先への浸入を阻止することが可能であり、容器本体Ａの開口縁２と蓋体Ｂの周縁部１１との接触部分まで湯が浸入することがない。このため、湯切りの際に指が感じる熱さを軽減することが可能である。
【産業上の利用可能性】
【００４２】
本考案に係る容器本体Ａは、インスタント焼きそばの容器に限定されることなく、注いだ湯を排出して食するインスタント食品用の容器として利用して有利である。
【符号の説明】
【００４３】
Ａ                  容器本体
Ｂ                  蓋体
Ｃ                  指
１                  収容部
２                  開口縁
２ａ                接触部
２ｂ                硬化部
３                  本体接続部
１０                天板
１１                周縁部
１２                蓋体接続部
１３                垂下縁
１４                湯切り部
１４ａ              湯切り口
【図１】
0003174169.tif 000003
【図２】
0003174169.tif 000004
【図３】
0003174169.tif 000005
【図４】
0003174169.tif 000006